(57)【特許請求の範囲】
【請求項１】
複数本の導体線と複数本の絶縁線とが交互に交差するように織られることによりシート状に構成され、
前記各絶縁線は真直ぐに構成され、前記各導体線は波状に湾曲して構成され、
前記各導体線は、前記各絶縁線よりも、線径が小さく、かつ、剛性が低く構成されることにより、前記各導体線の屈曲角が前記各絶縁線の屈曲角よりも小さくなるように形成され、両接続方向において前記各導体線は前記各絶縁線よりも突出することを特徴とするシート状コネクタ。
【請求項２】
複数本の導体線と複数本の絶縁線とが交互に交差するように  織られることによりシート状に構成され、
前記各絶縁線は真直ぐに構成され、前記各導体線は波状に湾曲して構成され、
前記各絶縁線は、前記各導体線と線径が等しく、かつ、前記各導体線よりも剛性が大きく構成されることにより、前記各導体線の屈曲角が前記各絶縁線の屈曲角よりも小さくなるように形成され、両接続方向において前記各導体線は前記各絶縁線よりも突出することを特徴とするシート状コネクタ。
【請求項３】
複数本の導体線と複数本の絶縁線とが交互に交差するように織られることによりシート状に構成され、
前記各絶縁線は真直ぐに構成され、前記各導体線は波状に湾曲して構成され、
前記各導体線は、幅が前記各絶縁線の線径よりも大きく、厚さが前記各絶縁線の線径よりも小さい断面略長方形の板状に構成されることにより、前記各導体線の屈曲角が前記各絶縁線の屈曲角よりも小さくなるように形成され、両接続方向において前記各導体線は前記各絶縁線よりも突出することを特徴とするシート状コネクタ。
【発明の詳細な説明】
【０００１】
【発明の属する技術分野】
本発明は、複数本の導体線と複数本の絶縁線とが織られることにより構成されるシート状コネクタに関する。本コネクタは、プリント基板等の接続対象物同士の間に挿入されて、接続対象物同士を接続するために使用される。
【０００２】
【従来の技術】
第１の従来のシート状コネクタについて図４を参照して説明する。
【０００３】
シート状コネクタ３１は、多数本の波状に湾曲した絶縁線３２と、多数本の波状に湾曲した導体線３３とから構成される。各絶縁線３２と各導体線３３とは、交互に交差するように織られる。各絶縁線３２と各導体線３３とは、線径及び剛性が等しい。各絶縁線３２と各導体線３３とは、シート状コネクタ３１の表面に交互に突出し、図４（ｂ）の箇所においては、絶縁線３２が、導体線３３よりも量Ｄ３  だけ突出する。また、導体線３３が、絶縁線３２よりも突出しても、その突出量は、少ない。したがって、シート状コネクタ３１の各導体線３３と相手側接触子との接触信頼性は、乏しい。
【０００４】
第２の従来のシート状コネクタについて図５を参照して説明する。
【０００５】
シート状コネクタ４１は、多数本の波状に湾曲した絶縁線４２と、多数本の真直ぐな導体線４３とから構成される。各絶縁線４２と各導体線４３とは、交互に交差するように織られる。各絶縁線４２と各導体線４３とは、線径が等しく、剛性は、各導体線４３の方が高い。図５（ｂ）に示されるように、絶縁線４２は、導体線４３よりも量Ｄ４  だけシート状コネクタ４１の表面に突出する。したがって、シート状コネクタ４１の各導体線４３と相手側接触子との電気的接続を得ることは、困難である。
【０００６】
第３の従来のシート状コネクタについて図６を参照して説明する。このコネクタは、特開平７−３２６２２５号公報に記載されている。
【０００７】
シート状コネクタ５１は、導体性繊維製の縦糸５２と絶縁性繊維製の縦糸５３を交互に配し、前記２種類の縦糸５２，５３と絶縁性繊維製の横糸５４を平織して構成される。なお、絶縁性繊維製の縦糸５３は、省略することができる。
【０００８】
【発明が解決しようとする課題】
前記第１及び第２の従来のシート状コネクタにおいては、各導体線と各絶縁線とは、線径が等しく、また、各導体線は、各絶縁線よりも剛性が高いか又は等しい。したがって、各導体線は、コネクタの表面から突出しないので、相手側接触子と電気的に接触しないか又は電気的接触が不確実である。
【０００９】
前記第３の従来のシート状コネクタにおいては、各導体性繊維製の縦糸は、コネクタの表面から突出するが、各導体性繊維製の縦糸と各絶縁性繊維製の横糸の線径の大小関係及び剛性の高低関係は、不明である。
【００１０】
そこで、本発明は、前記各従来のシート状コネクタの欠点を改良し、各導体線が各絶縁線よりも表面に安定して突出することにより、確実に電気的接続を得ることができるシート状コネクタを提供しようとするものである。
【００１１】
【課題を解決するための手段】
本発明は、前記課題を解決するため、次の手段を採用する。
【００１２】
１．複数本の導体線と複数本の絶縁線とが交互に交差するように織られることによりシート状に構成され、前記各絶縁線は真直ぐに構成され、前記各導体線は波状に湾曲して構成され、前記各導体線は、前記各絶縁線よりも、線径が小さく、かつ、剛性が低く構成されることにより、前記各導体線の屈曲角が前記各絶縁線の屈曲角よりも小さくなるように形成され、両接続方向において前記各導体線は前記各絶縁線よりも突出するシート状コネクタ。
【００１３】
２．複数本の導体線と複数本の絶縁線とが交互に交差するように織られることによりシート状に構成され、前記各絶縁線は真直ぐに構成され、前記各導体線は波状に湾曲して構成され、前記各絶縁線は、前記各導体線と線径が等しく、かつ、前記各導体線よりも剛性が大きく構成されることにより、前記各導体線の屈曲角が前記各絶縁線の屈曲角よりも小さくなるように形成され、両接続方向において前記各導体線は前記各絶縁線よりも突出するシート状コネクタ。
【００１４】
３．複数本の導体線と複数本の絶縁線とが交互に交差するように織られることによりシート状に構成され、前記各絶縁線は真直ぐに構成され、前記各導体線は波状に湾曲して構成され、前記各導体線は、幅が前記各絶縁線の線径よりも大きく、厚さが前記各絶縁線の線径よりも小さい断面略長方形の板状に構成されることにより、前記各導体線の屈曲角が前記各絶縁線の屈曲角よりも小さくなるように形成され、両接続方向において前記各導体線は前記各絶縁線よりも突出するシート状コネクタ。
【００１５】
【発明の実施の形態】
本発明の３つの実施の形態例のシート状コネクタについて説明する。
【００１６】
まず、第１実施の形態例について図１を参照して説明する。シート状コネクタ１は、多数本の真直ぐな剛性の高い絶縁線２と、多数本の波状に湾曲した導体線３とから構成される。各絶縁線２と各導体線３とは、交互に交差するように織られる。各絶縁線２と各導体線３とは、線径が等しい。各絶縁線２は、各導体線３よりも剛性が高いので、各導体線３は、各絶縁線２よりも大きく屈曲する。各導体線３の屈曲角をθ１  とすれば、各絶縁線２はほとんど屈曲することがなく、各導体線３の各絶縁線２からの突出量はＤ１  となる。したがって、各導体線３の突出した表面から電気的接続を得ることができる。
【００１７】
次に、第２実施の形態例について図２を参照して説明する。シート状コネクタ１１は、多数本の真直ぐな絶縁線１２と、多数本の波状に湾曲した線径の細い導体線１３とから構成される。各絶縁線１２と各導体線１３とは、交互に交差するように織られる。各導体線１３は各絶縁線１２よりも線径が細く、剛性が低いので、各導体線１３は、各絶縁線１２よりも大きく屈曲する。各導体線１３の屈曲角をθ２  とすれば、各絶縁線１２はほとんど屈曲することがなく、各導体線１３の各絶縁線２からの突出量はＤ２  となる。したがって、各導体線１３の突出した表面から電気的接続を得ることができる。
【００１８】
続いて、第３実施の形態例について図３を参照して説明する。シート状コネクタ２１は、多数本の真直ぐな絶縁線２２と、多数本の波状に湾曲した断面略長方形の板状（換言すると、角線状）の導体線２３とから構成される。各絶縁線２２と各導体線２３とは、交互に交差するように織られる。各導体線２３の板厚は、各絶縁線２２の線径よりも小さいので、各導体線２３は、各絶縁線２２よりも大きく屈曲し、各絶縁線２２は、ほとんど屈曲しない。各導体線２３の幅Ｗを各絶縁線２２の線径よりも大きくして、相手側接触子との接触面積を広くすると、相手側接触子は、そのピッチがずれていても、各導体線２３の突出した表面と確実に電気的に接続することができる。
【００１９】
【発明の効果】
以上の説明から明らかなように、本発明によれば、次の効果が奏される。
【００２０】
１．導体線が絶縁線よりも表面に安定して突出するシート状コネクタであるので、後めっき等による厚さ増し加工を行わなくても、シート状コネクタの表面から確実に電気的接続を得ることができる。
【００２１】
２．コストが安価なシート状コネクタを提供することができる。
【００２２】
３．シート状コネクタを狭ピッチに構成することができる。
【図面の簡単な説明】
【図１】本発明の第１実施の形態例のシート状コネクタであり、（ａ）は要部の斜視図、（ｂ）は一部の断面図を、それぞれ示す。
【図２】本発明の第２実施の形態例のシート状コネクタであり、（ａ）は要部の斜視図、（ｂ）は一部の断面図を、それぞれ示す。
【図３】本発明の第３実施の形態例のシート状コネクタの要部の斜視図である。
【図４】第１の従来のシート状コネクタであり、（ａ）は要部の斜視図、（ｂ）は一部の断面図を、それぞれ示す。
【図５】第２の従来のシート状コネクタであり、（ａ）は要部の斜視図、（ｂ）は一部の断面図を、それぞれ示す。
【図６】第３の従来のシート状コネクタであり、（ａ）は要部の正面図、（ｂ）は（ａ）における線Ｘ−Ｘによる断面図を、それぞれ示す。
【符号の説明】
１    シート状コネクタ
２    絶縁線
３    導体線
１１    シート状コネクタ
１２    絶縁線
１３    導体線
２１    シート状コネクタ
２２    絶縁線
２３    導体線
【図１】
0003656193.tif 000002
【図２】
0003656193.tif 000003
【図３】
0003656193.tif 000004
【図４】
0003656193.tif 000005
【図５】
0003656193.tif 000006
【図６】
0003656193.tif 000007